(57)【要約】【課題】循環量を徐々に増大させる状態に移行する当初から各バンクの流通経路に冷却水を循環させることができる。【解決手段】ウォータポンプ３０から吐出された冷却水は、第１バンクのウォータジャケット２０Ｆと第２バンクのウォータジャケット２０Ｓとに分かれて流動した後、流量制御弁４０を介して内燃機関１０の外部に流出する。制御装置６０は、内燃機関１０の冷間始動時において、流量制御弁４０を閉弁状態とする第１モード処理を実行し、暖機が進むことで流量を漸増させる第２モード処理に移行させる。制御装置６０は、第１モード処理から第２モード処理に移行させる際、一旦、流量をステップ状に増加させる第３モード処理を実行する。【選択図】図１
2018035785.tif 000002
【特許請求の範囲】
【請求項１】
１または複数の気筒を有したバンク毎に互いに独立な冷却水の流通経路を有した内燃機関に適用され、
前記バンク毎の冷却水の流通経路が上流側で合流する第１合流部と前記バンク毎の冷却水の流通経路が下流側で合流する第２合流部とを接続する接続通路と、
前記第１合流部および前記第２合流部のいずれか一方側に設けられて前記内燃機関の出力軸の動力によって回転する機関駆動式のウォータポンプと、
前記第１合流部および前記第２合流部の他方側に設けられて前記バンク毎の流通経路と前記接続通路との間の流路断面積を調整する流量制御弁と、を備えた内燃機関の冷却装置を操作対象とし、
前記流量制御弁の開口度を最小値とすることにより、前記流通経路から前記接続通路へ流出し前記接続通路から前記流通経路へ流入する前記冷却水の循環を制限する第１モード処理と、
前記開口度を前記最小値よりも徐々に大きくして、前記循環の量である循環量を増加させる第２モード処理と、
前記第１モード処理から前記第２モード処理に移行させる場合、前記第２モード処理の実行に先立って、前記循環量を所定期間にわたって前記第２モード処理の初期よりも多くする第３モード処理と、を実行する内燃機関の冷却制御装置。
【発明の詳細な説明】
【技術分野】
【０００１】
本発明は、１または複数の気筒を有したバンク毎に互いに独立な冷却水の流通経路を有した内燃機関に適用される内燃機関の冷却制御装置に関する。
【背景技術】
【０００２】
下記の特許文献１には、３個の気筒を有したバンクを２つ備え、バンク毎に互いに独立な冷却水の流通経路を有した内燃機関が記載されている。
下記の特許文献２には、冷却水の流通経路の流路断面積を調整する流量制御弁を備える内燃機関が記載されている。
【先行技術文献】
【特許文献】
【０００３】
【特許文献１】特開２０１４−２０３１１号公報
【特許文献２】特許第２７６７９９５号公報
【発明の概要】
【発明が解決しようとする課題】
【０００４】
発明者は、上記のように複数のバンク毎に互いに独立な冷却水の流通経路を有した内燃機関において、内燃機関の暖機を促進すべく、機関始動時には上記バンク毎の流通経路と外部の流通経路とを循環する冷却水の循環量をゼロにすることが可能なように流量制御弁を備えることを検討した。この場合、内燃機関の暖機が進むことで、流量制御弁の開口度を一気に大きくしてしまうと、内燃機関のシリンダブロックやシリンダヘッド等の温度が急低下してしまうおそれがある。このため、発明者は、内燃機関の暖機が進むことで、流量制御弁の開口度を徐々に増加させ、循環量を徐々に増加させることを検討した。しかし、その場合、バンク毎の流通経路の個体差等に起因して流通抵抗に相違が存在する場合、循環量が小さい期間においては流通抵抗の小さいバンクの流通経路のみ冷却水が循環し、流通抵抗の大きいバンクの流通経路内の冷却水の温度が過度に高くなるおそれがある。
【０００５】
本発明は、そうした実情に鑑みてなされたものであり、その目的は、循環量を徐々に増大させる状態に移行する当初から各バンクの流通経路に冷却水を循環させることができるようにした内燃機関の冷却制御装置を提供することにある。
【課題を解決するための手段】
【０００６】
上記課題を解決すべく、内燃機関の冷却制御装置は、１または複数の気筒を有したバンク毎に互いに独立な冷却水の流通経路を有した内燃機関に適用され、前記バンク毎の冷却水の流通経路が上流側で合流する第１合流部と前記バンク毎の冷却水の流通経路が下流側で合流する第２合流部とを接続する接続通路と、前記第１合流部および前記第２合流部のいずれか一方側に設けられて前記内燃機関の出力軸の動力によって回転する機関駆動式のウォータポンプと、前記第１合流部および前記第２合流部の他方側に設けられて前記バンク毎の流通経路と前記接続通路との間の流路断面積を調整する流量制御弁と、を備えた内燃機関の冷却装置を操作対象とし、前記流量制御弁の開口度を最小値とすることにより、前記流通経路から前記接続通路へ流出し前記接続通路から前記流通経路へ流入する前記冷却水の循環を制限する第１モード処理と、前記開口度を前記最小値よりも徐々に大きくして、前記循環の量である循環量を増加させる第２モード処理と、前記第１モード処理から前記第２モード処理に移行させる場合、前記第２モード処理の実行に先立って、前記循環量を所定期間にわたって前記第２モード処理の初期よりも多くする第３モード処理と、を実行する。
【０００７】
上記構成では、第２モード処理を実行するのに先立って第３モード処理を実行する。第３モード処理は、冷却水の循環量が多いため、バンク毎で流通経路の流通抵抗に相違が存在したとしても、各バンクの流通経路から接続通路へと冷却水を流出させ接続通路から各バンクの流通経路へ冷却水を循環させることができる。そして、第３モード処理によって、各バンクの流通経路に冷却水を循環させる流れが形成された後に第２モード処理に移行することにより、第２モード処理に移行した後にも、各バンクの流通経路から接続通路へと冷却水を流出させ接続通路から各バンクの流通経路へ冷却水を流入させることができる。したがって、循環量を徐々に増大させる状態に移行する当初から各バンクの流通経路に冷却水を循環させることができる。
【図面の簡単な説明】
【０００８】
【図１】内燃機関の冷却制御装置にかかる一実施形態および内燃機関を示す図。
【図２】同実施形態にかかる第１モード処理およびその実行判定処理の手順を示す流れ図。
【図３】（ａ）および（ｂ）は、同実施形態の比較例における冷却水の流通状態を示す図。
【図４】同実施形態にかかる循環量を増加させる処理の手順を示す流れ図。
【図５】（ａ）および（ｂ）は、同実施形態および比較例による流量制御を例示するタイムチャート。
【発明を実施するための形態】
【０００９】
以下、内燃機関の冷却制御装置の一実施形態について図面を参照しつつ説明する。
図１に示すように、内燃機関１０は、２つの気筒列（バンク）を有したＶ型の６気筒エンジンである。図１においては、上記２つのバンクのそれぞれに対となって設けられる構成部材には、符号の先頭部分を共通の番号とし、末尾を「Ｆ」とした符号を第１バンク側の構成部材に、末尾を「Ｓ」とした符号を第２バンク側の構成部材に、それぞれ付している。
【００１０】
内燃機関１０には、第１バンクの各気筒の燃焼室１６Ｆの周囲を通って冷却水を流す水路であるウォータジャケット２０Ｆと、第２バンクの各気筒の燃焼室１６Ｓの周囲を通って冷却水を流す水路であるウォータジャケット２０Ｓとが形成されている。ウォータジャケット２０Ｆは、第１バンクのシリンダブロック１２Ｆ及びシリンダヘッド１４Ｆの内部を通るように設けられている。また、ウォータジャケット２０Ｓは、第２バンクのシリンダブロック１２Ｓ及びシリンダヘッド１４Ｓの内部を通るように設けられている。各シリンダブロック１２Ｆ，１２Ｓには、各ウォータジャケット２０Ｆ，２０Ｓの冷却水の流入口２２Ｆ，２２Ｓが、各シリンダヘッド１４Ｆ，１４Ｓには、各ウォータジャケット２０Ｆ，２０Ｓの冷却水の流出口２４Ｆ，２４Ｓがそれぞれ設けられている。
【００１１】
ウォータポンプ３０は、内燃機関１０のクランク軸の回転により駆動される機関駆動式のポンプである。ウォータポンプ３０は、冷却水を、吐出口３０Ｆから、第１バンクの流入口２２Ｆを介してウォータジャケット２０Ｆに吐出し、吐出口３０Ｓから、第２バンクの流入口２２Ｓを介してウォータジャケット２０Ｓに吐出する。
【００１２】
各ウォータジャケット２０Ｆ，２０Ｓの流出口２４Ｆ，２４Ｓには、流出水路２６Ｆ，２６Ｓがそれぞれ連結されている。両流出水路２６Ｆ，２６Ｓは、合流部２８にて合流した後、流量制御弁４０に接続されている。
【００１３】
流量制御弁４０は、流出水路２６Ｆ，２６Ｓから冷却水が流入する流入ポート４０Ａと、同流入ポート４０Ａから流入した冷却水を流出可能な３個の流出ポート４０Ｂ、４０Ｃ、４０Ｄとを備える。流出ポート４０Ｂには、外気との熱交換により冷却水を冷却するラジエータ５０が途中に設けられたラジエータ水路５２が接続されている。また、流出ポート４０Ｃには、スロットルボディやＥＧＲバルブ等のデバイス５４が途中に設けられたデバイス水路５６が接続されている。さらに、流出ポート４０Ｄには、冷却水との熱交換により、車室に送風される空気を温めるヒータコア５７が途中に設けられたヒータ水路５８が接続されている。そして、流量制御弁４０は、各流出ポート４０Ｂ，４０Ｃ，４０Ｄの開口面積を可変とすることで、ラジエータ水路５２、デバイス水路５６およびヒータ水路５８の各水路に流出する冷却水の流量を調整するよう構成されている。
【００１４】
ラジエータ水路５２の下流端は、ウォータポンプ３０の吸入口３０Ａに接続されている。また、デバイス水路５６の下流端は、ラジエータ水路５２におけるラジエータ５０よりも下流側の部分に接続され、ヒータ水路５８の下流端は、デバイス水路５６におけるデバイス５４よりも下流側の部分に接続されている。ラジエータ水路５２、デバイス水路５６、およびヒータ水路５８を介して、合流部２８で合流し流量制御弁４０から流出した冷却水がウォータポンプ３０の吸入口３０Ａに吸入される。
【００１５】
制御装置６０は、中央処理装置（ＣＰＵ６２）と、ＣＰＵ６２が実行するプログラム等を記憶するメモリ６４とを備えている。制御装置６０は、吸入空気量Ｇａを検出するエアフローメータ７０や、合流部２８付近の冷却水の温度（水温ＴＨＷ）を検出する水温センサ７２、流量制御弁４０の開口度θを検出する開口度センサ７４、内燃機関１０のクランク軸の回転速度ＮＥを検出する回転速度センサ７６等の各種センサの検出値を取り込む。そして、制御装置６０は、上記検出値等に基づき、流量制御弁４０を操作して、ウォータジャケット２０Ｆ，２０Ｓから合流部２８を介して外部に流出し、ウォータポンプ３０を介してウォータジャケット２０Ｆ，２０Ｓへと流入する冷却水の循環量を制御する。
【００１６】
本実施形態では、制御装置６０は、特に、内燃機関１０の冷間始動時から暖機が進むまでの間は、流量制御弁４０の開口度θを最小値（ゼロ）として、上記循環量を制限する（水止め制御：第１モード処理）。この時点では、循環量は、ゼロであるか、流量制御弁４０のクリアランス等に起因した無視しうる程度の量となる。そして、内燃機関１０が暖機されると、流量制御弁４０の開口度θを拡大し、循環量を増加させる。以下、これについて詳述する。
【００１７】
図２に、第１モード処理およびその実行判定にかかる処理の手順を示す。図２に示す処理は、メモリ６４に記憶されたプログラムをＣＰＵ６２が実行することにより、たとえば所定周期で繰り返し実行される。なお、図２に示す処理は、機関始動後、上記循環量を増加させる処理が完了するまでの期間内に限って実行される。
【００１８】
図２に示す一連の処理において、ＣＰＵ６２は、まず、流量制御開始フラグＦが「１」であるか否かを判定する（Ｓ１０）。流量制御開始フラグＦは、「１」である場合に上記循環量を増加させる処理を開始していることを示し、「０」である場合に開始していないことを示す。ＣＰＵ６２は、流量制御開始フラグＦが「０」であると判定する場合（Ｓ１０：ＮＯ）、内燃機関１０の始動時であるか否かを判定する（Ｓ１２）。ＣＰＵ６２は、制御装置６０の主電源がオンとされ、ＣＰＵ６２が起動された後に図２に示す一連の処理が最初に実行される場合に始動時であると判定する。そしてＣＰＵ６２は、始動時であると判定する場合（Ｓ１２：ＹＥＳ）、初期水温ＴＨＷ０に、水温センサ７２によって検出された最新の水温ＴＨＷを代入する（Ｓ１４）。
【００１９】
ＣＰＵ６２は、Ｓ１４の処理が完了する場合や、始動時でないと判定する場合（Ｓ１２：ＮＯ）には、積算空気量ＩｎＧを算出する（Ｓ１６）。すなわち、ＣＰＵ６２は、現在保持していた積算空気量ＩｎＧに、エアフローメータ７０によって検出される吸入空気量Ｇａを加算した値を、最新の積算空気量ＩｎＧとする。そしてＣＰＵ６２は、積算空気量ＩｎＧが、増加開始閾値ＩｎＧｔｈ１以上であることと、水温ＴＨＷが所定水温Ｔｔｈ以上であることとの論理和が真であるか否かを判定する（Ｓ１８）。この処理は、第１モード処理を停止するか否かを判定するためのものである。ここで、ＣＰＵ６２は、初期水温ＴＨＷ０を入力とし、初期水温ＴＨＷ０が低い場合に高い場合よりも増加開始閾値ＩｎＧｔｈ１を大きい値に設定する。増加開始閾値ＩｎＧｔｈ１は、内燃機関１０の暖機が進行し、内燃機関１０内において特に冷却水の温度が上昇しやすい部位（たとえばドリルドパッセージ）内の温度が１００°Ｃ近くになるときの値として想定される値に設定される。また、所定温度Ｔｔｈは、内燃機関１０の暖機が完了したと判定する温度（たとえば、８０°Ｃ）に設定されている。
【００２０】
ＣＰＵ６２は、上記論理和が偽であると判定する場合（Ｓ１８：ＮＯ）、第１モード処理を実行する（Ｓ２０）。これに対し、ＣＰＵ６２は、上記論理和が真であると判定する場合（Ｓ１８：ＹＥＳ）、流量制御開始フラグＦを「１」とする（Ｓ２２）。
【００２１】
なお、ＣＰＵ６２は、Ｓ２０，Ｓ２２の処理が完了する場合や、Ｓ１０において肯定判定する場合には、図２に示す一連の処理を一旦終了する。
図３（ａ）に、本実施形態にかかる第１モード処理時の冷却水の状態を示す。図３（ａ）は、第１バンク側と第２バンク側との冷却水の流通抵抗に相違があることに起因してシリンダブロック１２Ｆおよびシリンダヘッド１４Ｆ側からシリンダブロック１２Ｓおよびシリンダヘッド１４Ｓ側に冷却水が流動する状態を示している。
【００２２】
この場合、第１モード処理を終了する際、シリンダブロック１２Ｆ，１２Ｓやシリンダヘッド１４Ｆ，１４Ｓを過度に冷却しないように流量制御弁４０から流出する冷却水の流量を少量とする場合、図３（ｂ）に例示するように、シリンダブロック１２Ｆおよびシリンダヘッド１４Ｆを流通した冷却水のみが流量制御弁４０を介して流出する。換言すれば、シリンダブロック１２Ｓおよびシリンダヘッド１４Ｓの冷却水は、第２モード処理の開始当初には、滞留する。このため、シリンダブロック１２Ｓおよびシリンダヘッド１４Ｓ内において冷却水の温度が過度に高くなるおそれがある。
【００２３】
そこで、本実施形態では、以下の処理によって冷却水の循環量を増加させる。
図４に、循環量を増加させる処理の手順を示す。図４に示す処理は、メモリ６４に記憶されたプログラムをＣＰＵ６２が実行することにより、たとえば所定周期で繰り返し実行される。
【００２４】
図４に示す一連の処理において、ＣＰＵ６２は、まず流量制御開始フラグＦが「１」であるか否かを判定する（Ｓ３０）。そしてＣＰＵ６２は、流量制御開始フラグＦが「１」であると判定する場合（Ｓ３０：ＹＥＳ）、積算流量ＩｎＡＦおよび積算空気量ＩｎＧを更新する（Ｓ３２）。ここで、積算空気量ＩｎＧは、図２のＳ１６の処理において算出されていた値を、同様の手続きによって更新する処理となる。一方、積算流量ＩｎＡＦは、流量制御弁４０から流出する流量の要求値（要求流量ＡＦｄ）の積算値である。ここでは、ＣＰＵ６２は、図４に示す一連の処理の１制御周期内における要求流量ＡＦｄによって、積算流量ＩｎＡＦを更新する処理を実行する。
【００２５】
次にＣＰＵ６２は、流量制御開始フラグＦが「１」となってから所定期間が経過したか否かを判定する（Ｓ３４）。そしてＣＰＵ６２は、所定期間が経過していないと判定する場合（Ｓ３４：ＮＯ）、流量制御弁４０から流出する流量の要求値である要求流量ＡＦｄを、所定値ＡＦＭとする第３モード処理を実行する（Ｓ３６）。ここで、所定値ＡＦＭは、所定期間にわたって要求流量ＡＦｄを所定値ＡＦＭとすることにより、次の状態を生成できる値に設定されている。すなわち、シリンダブロック１２Ｆおよびシリンダヘッド１４Ｆを流通した冷却水が流量制御弁４０から流出する流れと、シリンダブロック１２Ｓおよびシリンダヘッド１４Ｓを流通した冷却水が流量制御弁４０から流出する流れとを生じさせる状態を生成できる値に設定されている。
【００２６】
具体的には、ＣＰＵ６２は、要求流量ＡＦｄと、回転速度ＮＥとに基づき、流量制御弁４０の要求流量割合を算出し、要求流量割合に基づき流量制御弁４０の開口度θを制御する。要求流量割合は、流量制御弁４０の開口度θを最大値としたときに流量制御弁４０から流出する冷却水の流量に対する、要求流量ＡＦｄの割合である。ウォータポンプ３０が機関駆動式であるために、流量制御弁４０の開口度θを最大値としたときに流量制御弁４０から流出する冷却水の流量は、回転速度ＮＥに依存する。このため、回転速度ＮＥを参照して、要求流量ＡＦｄから要求流量割合を算出することができる。そして、要求流量割合と開口度θとの関係に基づき、開口度θを設定する。ここで、開口度θは、要求流量割合が大きい場合に小さい場合よりも大きい値となる。
【００２７】
一方、ＣＰＵ６２は、所定期間経過していると判定する場合（Ｓ３４：ＹＥＳ）、次の論理和が真であるか否かを判定する（Ｓ３８）。この論理和は、積算流量ＩｎＡＦが積算流量閾値ＩｎＡＦｔｈ以上であることと、開口度θが所定開度θｔｈ以上であることと、積算空気量ＩｎＧが増加完了閾値ＩｎＧｔｈ２以上であることと、水温ＴＨＷが所定温度Ｔｔｈ以上であることとの論理和である。この処理は、循環量を漸増させる処理を終了するか否かを判定するものである。ここで、ＣＰＵ６２は、増加完了閾値ＩｎＧｔｈ２を、初期水温ＴＨＷ０を入力とし、初期水温ＴＨＷ０が低い場合に高い場合よりも大きい値に設定する。特に、ＣＰＵ６２は、増加完了閾値ＩｎＧｔｈ２を、増加開始閾値ＩｎＧｔｈ１よりも大きい値に設定する。ちなみに、内燃機関１０が冷間始動される場合、図２のＳ１８の処理において、通常、水温ＴＨＷが所定温度Ｔｔｈ以上となる前に積算空気量ＩｎＧが増加開始閾値ＩｎＧｔｈ１以上となることを想定している。
【００２８】
ＣＰＵ６２は、論理和が偽であると判定する場合（Ｓ３８：ＮＯ）、積算空気量ＩｎＧに応じて要求流量ＡＦｄを漸増させる微流量制御（第２モード処理）を実行する（Ｓ４０）。第２モード処理の開始時には、ＣＰＵ６２は、第３モード処理における上記所定値ＡＦＭよりも要求流量ＡＦｄを小さい値に設定する。ＣＰＵ６２は、要求流量ＡＦｄを、積算空気量ＩｎＧが大きい場合に小さい場合よりも大きい値に設定する。特に、ＣＰＵ６２は、要求流量ＡＦｄの漸増速度を、シリンダブロック１２Ｆ，１２Ｓおよびシリンダヘッド１４Ｆ，１４Ｓの温度を大きく低下させることがない値に設定する。
【００２９】
一方、ＣＰＵ６２は、論理和が真であると判定する場合（Ｓ３８：ＹＥＳ）、流量制御開始フラグＦ、積算流量ＩｎＡＦおよび積算空気量ＩｎＧを初期化する（Ｓ４２）。
なお、ＣＰＵ６２は、Ｓ３６，Ｓ４０，Ｓ４２の処理が完了する場合や、Ｓ３０において否定判定した場合には、図４に示す一連の処理を一旦終了する。
【００３０】
ここで本実施形態の作用を説明する。
図５（ａ）に、上記第１モード処理、第２モード処理、および第３モード処理を例示する。図５（ａ）においては、時刻ｔ１までは第１モード処理がなされ、時刻ｔ１から時刻ｔ２までは第３モード処理がなされ、時刻ｔ２以降、第２モード処理がなされる例を示している。なお、第２モード処理における要求流量ＡＦｄの漸増速度は、積算空気量ＩｎＧの増加速度に応じて変動する。
【００３１】
また、図５（ｂ）に、第３モード処理を削除した比較例を示す。この場合、第２モード処理を実行した当初は、図３（ｂ）に示すように、片側のバンクにおける冷却水を循環させることができないおそれがある。
【００３２】
これに対し、本実施形態では、第１モード処理から第３モード処理に切り替える場合、第２モード処理の実行に先立って第３モード処理を実行する。これにより、シリンダブロック１２Ｆおよびシリンダヘッド１４Ｆを流通した冷却水が流量制御弁４０から流出する流れと、シリンダブロック１２Ｓおよびシリンダヘッド１４Ｓを流通した冷却水が流量制御弁４０から流出する流れとを生じさせる状態が生成される。このため、その後、第２モード処理を実行し、流量制御弁４０から流出する冷却水の流量が少なくなっても、第１バンク側および第２バンク側の双方の冷却水を循環させることができる。
【００３３】
なお、第３モード処理は、極短時間実行されるのみであり、シリンダブロック１２Ｆ，１２Ｓおよびシリンダヘッド１４Ｆ，１４Ｓの温度を過度に低下させることがない。
以上説明した本実施形態によれば、さらに以下に記載する効果が得られる。
【００３４】
（１）第２モード処理において要求流量ＡＦｄを漸増させることにより、シリンダブロック１２Ｆ，１２Ｓおよびシリンダヘッド１４Ｆ，１４Ｓの温度が顕著に低下することを抑制することと、同温度が過度に高くなることを抑制することとの双方を実現することができる。
【００３５】
＜対応関係＞
上記実施形態における事項と、上記「課題を解決するための手段」の欄に記載した事項との対応関係は、次の通りである。
【００３６】
第１合流部は、ウォータポンプ３０の配置箇所に対応し、第２合流部は、合流部２８から流量制御弁４０の配置箇所までの部分に対応する。独立な冷却水の流通経路は、ウォータジャケット２０Ｆおよび流出水路２６Ｆと、ウォータジャケット２０Ｓおよび流出水路２６Ｓとに対応する。接続通路は、ラジエータ水路５２や、デバイス水路５６、ヒータ水路５８に対応する。冷却制御装置は、制御装置６０に対応する。
【００３７】
＜その他の実施形態＞
なお、上記実施形態の各事項の少なくとも１つを、以下のように変更してもよい。
・第２モード処理としては、積算空気量ＩｎＧに応じて要求流量ＡＦｄを連続的に増加させるものに限らず、たとえば段階的に増加させるものであってもよい。
【００３８】
・内燃機関１０としては、２つのバンクを備えたものに限らず、たとえば３つ以上のバンクを備えたものであってもよい。
・図１において、合流部２８にウォータポンプ３０の吸入口側を接続し、ラジエータ水路５２、デバイス水路５６およびヒータ水路５８を、上流側において流量制御弁４０にて合流させるようにしてもよい。なお、この場合、流出ポート４０Ｂ，４０Ｃ，４０Ｄから流量制御弁４０に流入した冷却水を、流入ポート４０Ａからウォータジャケット２０Ｆ，２０Ｓに流出させる。
【００３９】
・冷却制御装置としては、図２および図４の処理の全てを、ソフトウェア処理するものに限らない。たとえばその一部または全部を、専用のハードウェア回路（たとえばＡＳＣＩ）によってハードウェア処理するものであってもよい。
【符号の説明】
【００４０】
１０…内燃機関、１２Ｆ，１２Ｓ…シリンダブロック、１４Ｆ，１４Ｓ…シリンダヘッド、１６Ｆ，１６Ｓ…燃焼室、２０Ｆ，２０Ｓ…ウォータジャケット、２２Ｆ，２２Ｓ…流入口、２４Ｆ，２４Ｓ…流出口、２６Ｆ，２６Ｓ…流出水路、２８…合流部、３０…ウォータポンプ、３０Ａ…吸入口、３０Ｆ，３０Ｓ…吐出口、４０…流量制御弁、４０Ａ…流入ポート、４０Ｂ，４０Ｃ，４０Ｄ…流出ポート、５０…ラジエータ、５２…ラジエータ水路、５４…ヒータコア、５６…ヒータ水路、５８…バイパス水路、６０…制御装置、６２…ＣＰＵ、６４…メモリ、７０…エアフローメータ、７２…水温センサ、７４…開口度センサ、７６…回転速度センサ。
【図１】
2018035785.tif 000003
【図２】
2018035785.tif 000004
【図３】
2018035785.tif 000005
【図４】
2018035785.tif 000006
【図５】
2018035785.tif 000007